(57)【要約】  複数のボタンを具備した端末機で遂行されるディスプレイ方法は、該端末機への接触を感知し、あらかじめ設けられた映像データのうち、所定時間の間の前記感知された結果に相応する映像データが示す複数の映像を該複数のボタンにディスプレイすることにより、ボタン操作を行うユーザの作業便宜性を図ることが可能である。
2009514119.tif 000002
【特許請求の範囲】
【請求項１】
複数のボタンを具備した端末機で遂行されるディスプレイ方法において、
（ａ）前記端末機への接触を感知する段階と、
（ｂ）あらかじめ設けられた映像データのうち、所定時間の間の前記感知された結果に相応する映像データが表す複数の映像を前記複数のボタンにディスプレイする段階とを含み、
前記（ａ）段階は、前記接触がなされた位置を感知し、
前記（ｂ）段階は、
（ｂ１）前記感知された位置の前記所定時間の間の軌跡を分析する段階と、
（ｂ２）前記設けられた映像データのうち、前記分析された軌跡に相応する映像データが表す複数の映像を前記複数のボタンにディスプレイする段階とを含むことを特徴とするディスプレイ方法。
【請求項２】
前記映像は、文字であることを特徴とする請求項１に記載のディスプレイ方法。
【請求項３】
前記（ｂ１）段階は、前記分析された軌跡が第１所定軌跡であるか、あるいは第２所定軌跡であるかを判断し、
前記（ｂ２）段階は、
（ｂ２１）前記分析された軌跡が前記第１所定軌跡であると判断されれば、現在ディスプレイされた前記複数の映像を現在ディスプレイされた前記複数の映像に相応して更新する段階と、
（ｂ２２）前記分析された軌跡が前記第２所定軌跡であると判断されれば、一定の前記複数の映像をディスプレイする段階とを含むことを特徴とする請求項１に記載のディスプレイ方法。
【請求項４】
前記（ｂ１）段階は、前記分析された軌跡が第１所定軌跡であるか、あるいは第２所定軌跡であるかを判断し、
前記（ｂ２）段階は、
（ｂ２１）前記分析された軌跡が前記第１所定軌跡であると判断されれば、現在ディスプレイされた前記複数の映像を現在ディスプレイされた前記複数の映像が属したカテゴリーを異ならせて更新する段階と、
（ｂ２２）前記分析された軌跡が前記第２所定軌跡であると判断されれば、現在ディスプレイされた前記複数の映像を現在ディスプレイされた前記複数の映像が属したカテゴリーを維持して更新する段階とを含むことを特徴とする請求項１に記載のディスプレイ方法。
【請求項５】
前記（ｂ２）段階は、前記分析された軌跡をなす前記感知された位置に相応する前記複数の映像を前記複数のボタンにディスプレイすることを特徴とする請求項１に記載のディスプレイ方法。
【請求項６】
前記複数のボタンは、ディスプレイされた前記複数の映像のうち選択された映像を拡大してディスプレイすることを特徴とする請求項１に記載のディスプレイ方法。
【請求項７】
端末機において、
前記端末機への接触を感知する感知部と、
複数の映像を制御信号に応答してディスプレイする複数のボタンと、
あらかじめ設けられた映像データのうち、所定時間の間の前記感知された結果に相応する映像データが表す映像のディスプレイを指示する前記制御信号を生成する制御部とを備え、
前記感知部は、前記接触がなされた位置を感知し、
前記制御部は、
前記感知された位置の前記所定時間の間の軌跡を分析する軌跡分析部と、
前記設けられた映像データのうち、前記分析された軌跡に相応する映像データが表す映像のディスプレイを指示する前記制御信号を生成する表示指示部とを備えることを特徴とするディスプレイ機能を有するボタンを具備した端末機。
【請求項８】
前記映像は、文字であることを特徴とする請求項７に記載のディスプレイ機能を有するボタンを具備した端末機。
【請求項９】
前記感知部は、一つ以上の接触感知センサによって具現され、前記接触感知センサは、前記ボタンまたは前記端末機のフレームに一体化したことを特徴とする請求項７に記載のディスプレイ機能を有するボタンを具備した端末機。
【請求項１０】
前記複数のボタンは、ディスプレイされた前記複数の映像のうち選択された映像を拡大してディスプレイすることを特徴とする請求項７に記載のディスプレイ機能を有するボタンを具備した端末機。
【請求項１１】
複数のボタンを具備した端末機で遂行されるディスプレイ方法において、
（ａ）前記端末機への接触を感知する段階と、
（ｂ）あらかじめ設けられた映像データのうち、所定時間の間の前記感知された結果に相応する映像データが表す複数の映像を前記複数のボタンにディスプレイする段階とを含み、
前記（ａ）段階は、前記接触がなされた位置を感知し、
前記（ｂ）段階は、
（ｂ１）前記感知された位置の前記所定時間の間の軌跡を分析する段階と、
（ｂ２）前記設けられた映像データのうち、前記分析された軌跡に相応する映像データが表す複数の映像を前記複数のボタンにディスプレイする段階とを含むことを特徴とするディスプレイ方法をコンピュータで実行させるためのコンピュータプログラムを保存するコンピュータで読み取り可能な記録媒体。
【請求項１２】
前記映像は、文字であることを特徴とする請求項１１に記載のディスプレイ方法をコンピュータで実行させるためのコンピュータプログラムを保存したコンピュータで読み取り可能な記録媒体。
【請求項１３】
前記（ｂ１）段階は、前記分析された軌跡が第１所定軌跡であるか、あるいは第２所定軌跡であるかを判断し、
前記（ｂ２）段階は、
（ｂ２１）前記分析された軌跡が前記第１所定軌跡であると判断されれば、現在ディスプレイされた前記複数の映像を現在ディスプレイされた前記複数の映像に相応して更新する段階と、
（ｂ２２）前記分析された軌跡が前記第２所定軌跡であると判断されれば、一定の前記複数の映像をディスプレイする段階とを含むことを特徴とする請求項１１に記載のディスプレイ方法をコンピュータで実行させるためのコンピュータプログラムを保存したコンピュータで読み取り可能な記録媒体。
【請求項１４】
前記（ｂ１）段階は、前記分析された軌跡が第１所定軌跡であるか、あるいは第２所定軌跡であるかを判断し、
前記（ｂ２）段階は、
（ｂ２１）前記分析された軌跡が前記第１所定軌跡であると判断されれば、現在ディスプレイされた前記複数の映像を現在ディスプレイされた前記複数の映像が属したカテゴリーを異ならせて更新する段階と、
（ｂ２２）前記分析された軌跡が前記第２所定軌跡であると判断されれば、現在ディスプレイされた前記複数の映像を現在ディスプレイされた前記複数の映像が属したカテゴリーを維持して更新する段階とを含むことを特徴とする請求項１１に記載のディスプレイ方法をコンピュータで実行させるためのコンピュータプログラムを保存したコンピュータで読み取り可能な記録媒体。
【請求項１５】
前記（ｂ２）段階は、前記分析された軌跡をなす前記感知された位置に相応する前記複数の映像を前記複数のボタンにディスプレイすることを特徴とする請求項１１に記載のディスプレイ方法をコンピュータで実行させるためのコンピュータプログラムを保存したコンピュータで読み取り可能な記録媒体。
【請求項１６】
前記複数のボタンは、ディスプレイされた前記複数の映像のうち選択された映像を拡大してディスプレイすることを特徴とする請求項１１に記載のディスプレイ方法をコンピュータで実行させるためのコンピュータプログラムを保存したコンピュータで読み取り可能な記録媒体。
【請求項１７】
前記端末機は、携帯電話とＰＤＡとを含むモバイル機器のうちの一つであることを特徴とする請求項１１に記載のディスプレイ方法をコンピュータで実行させるためのコンピュータプログラムを保存したコンピュータで読み取り可能な記録媒体。
【請求項１８】
携帯電話とＰＤＡとを含むモバイル機器のうちの一つであることを特徴とする請求項１に記載のディスプレイ方法。
【請求項１９】
携帯電話とＰＤＡとを含むモバイル機器のうちの一つであることを特徴とする請求項７に記載のディスプレイ機能を有するボタンを具備した端末機。
【請求項２０】
前記感知部は、複数の接触センサを含むことを特徴とする請求項７に記載のディスプレイ機能を有するボタンを具備した端末機。
【請求項２１】
前記感知部は、１つの単一接触センサを含むことを特徴とする請求項７に記載のディスプレイ機能を有するボタンを具備した端末機。
【発明の詳細な説明】
【技術分野】
【０００１】
本発明は、携帯電話機のような端末機に係り、さらに詳細には、映像のディスプレイの可能なボタンを具備した端末機及びこのためのディスプレイ方法に関する。
【背景技術】
【０００２】
携帯電話機のような端末機は、多数のボタン（button）を具備するのが一般的である。このとき、端末機を使用するユーザは、かかるボタンを操作することによって、その端末機で遂行可能な多様な機能、例えば電話かけ機能、文字メッセージ作成及び発信機能、及び動映像ファイル再生機能のうち特定機能を選択し、その端末機は、その選択された特定機能を遂行する。
【０００３】
結局、端末機で遂行可能な機能が多ければ多いほど、特定機能を選択しようとするユーザは、さらに多くの回数のボタン操作を遂行する厄介さを甘受せねばならない。単に電話通話機能のみ可能な電話機よりは、電話通話機能、音楽再生機能、動映像再生機能、インターネットサーフィン機能など、多様な機能をいずれも遂行することができる電話機がさらに市場競争力を有するのが最近の実情であることを勘案するとき、現在のボタン体系下で、かかる面倒さは、さらに深刻化するものと予想される。
【０００４】
また、端末機で遂行可能な機能が多ければ多いほど、それぞれのボタンの有する用途が多くなってしまうので、それぞれのボタンごとにそのボタンの用途を表現しようと、そのボタンの表面に表記される文字の大きさが小さくなり、視力の弱い人は、それぞれのボタン操作に煩わしさを感じてしまう。
【０００５】
一方、ユーザのボタン入力回数を減らそうと端末機に多数のボタンを用意する方案を考慮することができるが、製品の小型化を追求する最近の趨勢に相応するならば、端末機に設けられたボタンの大きさが小さくならざるをえないので、ボタン操作が困難になる恐れがある。
【発明の開示】
【発明が解決しようとする課題】
【０００６】
本発明がなそうとする技術的課題は、端末機に所定時間の間接触がなされた場合、その接触がいかなる経路によってなされたかによって決定される複数の映像をその端末機に備わった複数のボタンにディスプレイするディスプレイ方法を提供するところにある。
【０００７】
本発明がなそうとする他の技術的課題は、端末機に所定時間の間接触がなされた場合、その接触がいかなる経路によってなされたかによって決定される複数の映像をその端末機に備わった複数のボタンにディスプレイするディスプレイ機能を有するボタンを具備した端末機を提供するところにある。
【０００８】
本発明がなそうとするさらに他の技術的課題は、端末機に所定時間の間接触がなされた場合、その接触がいかなる経路によってなされたかによって決定される複数の映像をその端末機に備わった複数のボタンにディスプレイするコンピュータプログラムを保存するコンピュータで読み取り可能な記録媒体を提供するところにある。
【課題を解決するための手段】
【０００９】
前記課題をなすために、複数のボタンを具備した端末機で遂行される本発明によるディスプレイ方法は、前記端末機への接触を感知する（ａ）段階、及びあらかじめ設けられた映像データのうち、所定時間の間の前記感知された結果に相応する映像データが表す複数の映像を前記複数のボタンにディスプレイする（ｂ）段階を含むことが望ましい。
【００１０】
前記他の課題をなすために、本発明による端末機は、前記端末機への接触を感知する感知部、複数の映像を制御信号に応答してディスプレイする複数のボタン、及びあらかじめ設けられた映像データのうち、所定時間の間の前記感知された結果に相応する映像データが表す映像のディスプレイを指示する前記制御信号を生成する制御部を備えることが望ましい。
【００１１】
前記さらに他の課題をなすために、複数のボタンを具備した端末機で遂行されるコンピュータプログラムを保存する本発明によるコンピュータで読み取り可能な記録媒体は、前記端末機への接触を感知する（ａ）段階、及びあらかじめ設けられた映像データのうち、所定時間の間の前記感知された結果に相応する映像データが表す複数の映像を前記複数のボタンにディスプレイする（ｂ）段階を遂行するコンピュータプログラムを保存することが望ましい。
【発明の効果】
【００１２】
本発明によるディスプレイ機能を有するボタンを具備した端末機及びこのためのディスプレイ方法は、端末機で遂行可能な機能がいかに多くとも、ボタンの大きさが小さくなる必要がないので、ボタン操作を行うユーザの作業便宜性を図ることが可能である。また、本発明によれば、ボタンの用途がボタンの表面に表記されずに、ボタン全体に可変的にディスプレイされるので、用途がボタンに小さく表記された従来においてボタンの用途を識別するにに厄介さを覚えたユーザでも、ボタンの用途を容易に識別できる。さらに、本発明は、そのボタンの用途をディスプレイするにおいて、ユーザが現在操作しようとする用途を予想してディスプレイするので、本発明によれば、ユーザが自身が願うボタン操作のために、同じボタンを反復的に押すという面倒さを甘受することがなくなる。併せて、本発明によれば、端末機に備わるべきボタンの数を画期的に減らすことができ、端末機の小型化を介した市場競争力の強化を図ることができる。
【発明を実施するための最良の形態】
【００１３】
本発明、本発明の動作上の利点及び本発明の実施によって達成される目的を十分に理解するためには、本発明の望ましい実施形態を例示する添付図面及びその添付図面を説明する内容を参照せねばならない。
【００１４】
以下、本発明によるディスプレイ機能を有するボタンを具備した端末機及びこのためのディスプレイ方法について、添付した図面を参照しつつ次の通り説明する。
【００１５】
図１は、本発明によるディスプレイ機能を有するボタンを具備した端末機を説明するための一実施形態のブロック図であり、感知部１１０、制御部１２０、複数のボタン１３０、保存部１４０、及びメインディスプレイ部１５０からなりうる。
【００１６】
感知部１１０、制御部１２０、複数のボタン１３０、及びメインディスプレイ部１５０は、端末機に備わることが望ましい。ただし、保存部１４０は、端末機の内部に備わることもあり、端末機の外部に端末機とネットワーク上で連結されて設けられることも可能である。
【００１７】
感知部１１０は、端末機への接触（touch）を感知する。かような接触は、ユーザの身体、例えば指先と端末機との接触を意味することも可能であり、ある物、例えばユーザが使用中のペンと端末機との接触を意味することもある。説明の便宜上、以下では、接触は、ユーザの指先と端末機との接触であると仮定する。
【００１８】
感知部１１０は、何かが端末機に直接的に触れたことを接触として感知できる。さらに、感知部１１０は、何かが端末機の表面からある程度の一定距離、例えば数ｍｍ中に入ったことを接触として感知することもできる。
【００１９】
感知部１１０は、一つ以上の接触感知センサによって具現できる。それぞれの接触感知センサは、接触を感知するたびに、接触感知信号を生成する。ここで、接触感知信号は、その接触感知信号を生成した接触感知センサの端末機上での位置に関する情報を含んでいることが望ましい。これにより、感知部１１０は、接触がなされた位置を感知する。このとき、位置とは、端末機上での位置でありうる。
【００２０】
制御部１２０は、制御信号を生成する。ここで、制御信号とは、あらかじめ設けられた映像データのうち、所定時間の間の感知された結果に相応する映像データが表す複数の映像のディスプレイを指示する信号を意味する。すなわち、感知部１１０で接触を所定時間の間連続的に感知すれば、制御部１２０は、その所定時間の間の感知された結果に相応する複数の映像のディスプレイを指示する。
【００２１】
このとき、所定時間は、ある範疇（range）内に属する１つの値であることが望ましい。このとき、その範疇の上限（upper  limit）と下限（lower  limit）は、あらかじめ設定されうる。例えば、その下限は、端末機のいずれか１つのボタンに指を触れたユーザがその端末機から瞬間的に指を離すのにかかる時間でありうる。このとき、そのかかる時間は、経験的、実験的に事前に計算されうる。また、その上限は、ユーザが端末機に行列（matrix）状に配列されたボタンを、途中でやめずにある方向、例えば対角線方向にただ一回触れるのにかかる時間でありうる。このときのそのかかる時間も、経験的、実験的に事前に計算されうる。
【００２２】
具体的に、本明細書上で「所定時間」とは、感知部１１０が接触を連続的に感知した時間を意味する。このとき、所定時間には、前記のような上限と下限とが存在する。一方、感知部１１０が接触を連続的に感知するためには、ユーザが端末機に連続的に接触しなければならない。ここで、連続的な接触は、ユーザが同じ位置に続けて接触していることを意味しうる。この場合、感知部１１０は、接触感知信号を連続的に（continuously）生成する。一方、連続的な接触は、ユーザがある区間に触れつつ接触することを意味することも可能である。この場合、感知部１１０は、接触感知信号を間歇的に（continually）生成することもあり（ただし、感知部１１０が複数の接触感知センサによって具現されている場合）、接触感知信号を連続的に生成することもできる（ただし、感知部１１０が１つの接触感知センサによって具現されている場合）。このとき、接触感知信号が間歇的に生成されることを連続的な接触として認めるためには、接触感知信号の生成が中断された時点と再開された時点との間隔がある一定時間未満でなければならない。
【００２３】
制御部１２０は、軌跡分析部１２２、及び表示指示部１２４からなりうる。
【００２４】
軌跡分析部１２２は、感知された位置の所定時間の間の軌跡（trajectory）を分析する。説明の便宜上、軌跡分析部１２２は、接触方向を分析すると仮定する。すなわち、軌跡分析部１２２は、感知された位置が所定時間が経過するにつれて、どの方向に移動しているかを分析すると仮定する。
【００２５】
表示指示部１２４は、制御信号を生成する。この場合、制御信号は、あらかじめ設けられた映像データのうち、その分析された軌跡に相応する映像データが表す複数の映像のディスプレイを指示する信号を意味する。
【００２６】
制御部１２０が生成する制御信号は、「所定時間の間の感知された結果」にのみ相応して生成されもし、「所定時間の間の感知された結果」と「複数のボタン１３０に現在ディスプレイされた映像」とに相応して生成されもする。
【００２７】
複数のボタン１３０は、複数の映像、例えばＮ個の映像を制御信号に応答してディスプレイする。このために、複数のボタン１３０−１，…，１３０−ｎ，…，１３０−Ｎは、その複数の映像を制御信号に応答してディスプレイするサブディスプレイ部（図示せず）を具備する。このとき、サブディスプレイ部（図示せず）は、１つのディスプレイパネル（panel）で具現されることが望ましい。
【００２８】
保存部１４０は、映像データを保存する。具体的に、前述のあらかじめ設けられた映像データは、保存部１４０に保存された映像データを意味する。さらに具体的に、保存部１４０は、映像データを「所定時間の間の感知された結果」別に保存する。
【００２９】
結局、制御部１２０は、あらかじめ設けられた映像データのうち、「所定時間の間の感知された結果」に相応する映像データを保存部１４０から読み出し、読み出された映像データの表す複数の映像のディスプレイを指示する信号である制御信号を生成し、生成された制御信号とその読み出された映像データとを複数のボタン１３０それぞれに伝達する。それにより、複数のボタン１３０は、複数の映像をディスプレイする。
【００３０】
メインディスプレイ部１５０は、ディスプレイ機能を遂行するインターフェースを意味する。かようなメインディスプレイ部１５０は、ディスプレイ機能を遂行する出力装置としてのみ動作することも可能であり、タッチスクリーン（touch  screen）のように入出力装置として動作することも可能である。
【００３１】
図２は、本発明によるディスプレイ機能を有するボタンを具備したホルダ型携帯電話機を開いた様子を表した図である。
【００３２】
すなわち、図２に図示されているところは、本発明による端末機が携帯電話機によって具現された場合を示す。ここで、端末機２００には、１２個のボタン２０５ないし２６０が備わる。具体的に、識別番号２０５、２１０、２１５、２２０、２２５、２３０、２３５、２４０、２４５、２５０、２５５、２６０は、第１、第２、第３、第４、第５、第６、第７、第８、第９、第１０、第１１、第１２ボタンを意味する。ここで、第１ないし第１２ボタンいずれも、ディスプレイ機能を有することができる。一方、識別番号２７０は、携帯電話機に備わったディスプレイ・ウインドを意味する。かかるディスプレイ・ウインドは、図１に図示されているメインディスプレイ部１５０の可能な具現例である。
【００３３】
図３Ａないし図３Ｄは、図１に図示されている感知部１１０の具現例を、図２に図示されている携帯電話機を利用して示した図である。
【００３４】
図３Ａないし図３Ｄに図示されているところで、斜線部分は、接触感知センサを示す。図３Ａの場合、接触感知センサ３１０ないし３３２の識別番号を表記したが、図３Ｂないし図３Ｄの場合、接触感知センサの識別番号は省略した。
【００３５】
図１に図示された感知部１１０は、図３Ａ、図３Ｂ、及び図３Ｄに図示されているように、複数の接触感知センサによって具現されることもあり、図３Ｃに図示されているように、１つの接触感知センサによって具現されることも可能である。
【００３６】
また、接触感知センサは、図３Ａまたは図３Ｄに図示されているように、ボタンと一体化されることもあり、図３Ｂまたは図３Ｃに図示されているように、端末機２００のフレーム（frame）と一体化されることもある。
【００３７】
一方、接触感知センサが図３Ａ及び図３Ｄに図示されているように具現されるならば、接触感知センサは、透明な材質によって製作されることが望ましい。
【００３８】
説明の便宜上、以下では、接触感知センサは、図３Ａに図示されているように具現されていると仮定する。
【００３９】
図５Ａないし図７は、図１に図示された制御部１２０ないしメインディスプレイ部１５０の動作について、図２に図示された携帯電話機を利用して説明するための図である。ただし、それらについての説明は、図４を参照しつつ本発明の多様な実施形態について述べた後に行うこととする。
【００４０】
図４Ａないし図４Ｅは、本発明によるディスプレイ原理を説明するための第１ないし第５実施形態の参考図である。
【００４１】
図４Ａないし図４Ｅに図示されているところで、保存部１４０は、映像データを表示モード別に保存する。複数のボタン１３０がディスプレイする複数の映像が属することのできる表示モードは多様であり、その多様な表示モードに関する情報は、制御部１２０及び保存部１４０いずれにも記録されている。
【００４２】
このように、映像データが表示モード別に保存されているならば、制御部１２０は、「所定時間の間の感知された結果（例えば、分析された軌跡）」に相応する表示モードを決定し、決定された表示モードに属する映像データを保存部１４０から読み出す。このとき、その決定された表示モードに属する映像データが保存部１４０に多数存在するならば、制御部１２０は、その多数の映像データのうち１つの映像データを読み出す。制御部１２０は、その読み出された映像データの示す複数の映像のディスプレイを指示する信号である制御信号を生成し、生成された制御信号とその読み出された映像データとを複数のボタン１３０それぞれに伝達する。それにより、複数のボタン１３０は、複数の映像をディスプレイする。
【００４３】
本明細書上で、第Ｘ−Ｙ（ただし、Ｘ、Ｙは自然数）表示モードは、第Ｘ表示モードの下位表示モードである。従って、図４Ｂないし図４Ｄ図示されているところで、「第１−１表示モード、第１−２表示モード、第１−３表示モードのカテゴリー」、「第２−１表示モード、第２−２表示モード、第２−３表示モードのカテゴリー」、「第３−１表示モード、第３−２表示モード、第３−３表示モードのカテゴリー」は、互いに区別される。例えば、第１表示モードはハングル入力モードであり、第１−１表示モードはハングル子音入力モードであり、第１−２表示モードはハングル母音入力モードである。同様に、第２表示モードはアルファベット入力モードであり、第２−１表示モードはアルファベット小文字入力モードであり、第２−２表示モードはアルファベット大文字入力モードである。
【００４４】
図４Ａは本発明によるディスプレイ原理を説明するための第１実施形態の参考図である。
【００４５】
本発明の第１実施形態によれば、制御部１２０は、分析された軌跡が第１所定軌跡であるか、あるいは第２所定軌跡であるかを判断する。この場合、分析された軌跡が第１所定軌跡であると判断されれば、複数のボタン１３０は、現在ディスプレイされた複数の映像をその現在ディスプレイされた複数の映像に相応して更新する。一方、分析された軌跡が第２所定軌跡であると判断されれば、複数のボタン１３０は、常に一定した複数の映像をディスプレイする。
【００４６】
このために、制御部１２０は、分析された軌跡が第１所定軌跡であると判断されれば、「分析された軌跡」と「複数のボタン１３０に現在ディスプレイされた複数の映像」とに相応する制御信号を生成し、分析された軌跡が第２所定軌跡であると判断されれば、「分析された軌跡」に相応する制御信号を生成する。
【００４７】
例えば、分析された接触方向が「上側（upward）」または「下側（downward）」である場合、複数のボタン１３０に現在ディスプレイされた複数の映像は、その現在ディスプレイされた複数の映像を考慮して更新される。図示されているところで、第１表示モードに属する複数の映像をディスプレイする複数のボタン１３０は、ユーザが複数のボタン１３０を上側に触れれば、第４表示モードに属する複数の映像をディスプレイする。同様に、第２表示モードに属する複数の映像をディスプレイする複数のボタン１３０は、ユーザが複数のボタン１３０を下側に触れれば、第３表示モードに属する複数の映像をディスプレイする。
【００４８】
ただし、分析された接触方向が「左側（leftward）」である場合、複数のボタン１３０に現在ディスプレイされた複数の映像は、その現在ディスプレイされた複数の映像と関係なく更新される。図示されているところで、ユーザが複数のボタン１３０を左側に触れれば、複数のボタン１３０は、現在ディスプレイされた複数の映像が第２表示モードに属した複数の映像であるか、あるいは第３表示モードに属した複数の映像であるか、あるいは第４表示モードに属した複数の映像であるかに関係なく、第１表示モードに属した複数の映像をディスプレイする。
【００４９】
結局、図示されているところで、「上側」接触方向と「下側」接触方向とのそれぞれは、第１所定軌跡に該当し、「左側」接触方向は、第２所定軌跡に該当する。
【００５０】
図４Ｂは、本発明によるディスプレイ原理を説明するための第２実施形態の参考図である。
【００５１】
本発明の第２実施形態によれば、制御部１２０は、分析された軌跡が第１所定軌跡であるか、あるいは第２所定軌跡であるかを判断する。この場合、分析された軌跡が第１所定軌跡であると判断されれば、複数のボタン１３０は、現在ディスプレイされた複数の映像をその現在ディスプレイされた複数の映像が属したカテゴリー（category）を異ならせて更新する。一方、分析された軌跡が第２所定軌跡であると判断されれば、複数のボタン１３０は、現在ディスプレイされた複数の映像をその現在ディスプレイされた複数の映像が属したカテゴリーを維持して更新する。
【００５２】
制御部１２０は、分析された軌跡が第１所定軌跡であると判断されるか、あるいは第２所定軌跡であると判断されるかに関係なく、「分析された軌跡」と「複数のボタン１３０に現在ディスプレイされた複数の映像」とに相応する制御信号を生成する。
【００５３】
本発明の第２実施形態について、さらに具体的に説明すれば次の通りである。
【００５４】
分析された接触方向が「上側」である場合、複数のボタン１３０に現在ディスプレイされた複数の映像は、その現在ディスプレイされた複数の映像が属したカテゴリーと異なるカテゴリーの複数の映像に更新される。図示されているところによれば、第１−２表示モードに属した複数の映像をディスプレイする複数のボタン１３０は、ユーザが複数のボタン１３０を上側に触れれば、第３表示モードに属した複数の映像をディスプレイする。このとき、第３表示モードに属した複数の映像は、第３−１表示モードに属した複数の映像でもあり、第３−２表示モードに属した複数の映像でもあり、第３−３表示モードに属した複数の映像でもあるので、複数のボタン１３０は、第３−１表示モード、第３−２表示モード、第３−３表示モードのうち、事前に代表モード（default mode）に設定された表示モード、例えば第３−２表示モードに属した複数の映像をディスプレイすることが望ましい。
【００５５】
同様に、分析された接触方向が「下側」である場合、複数のボタン１３０に現在ディスプレイされた複数の映像は、その現在ディスプレイされた複数の映像の属したカテゴリーと異なるカテゴリーの複数の映像に更新される。図示されているところによれば、第１−３表示モードに属した複数の映像をディスプレイする複数のボタン１３０は、ユーザが複数のボタン１３０を下側に触れれば、第２表示モードに属した複数の映像をディスプレイする。このとき、第２表示モードに属した複数の映像は、第２−１表示モードに属した複数の映像でもあり、第２−２表示モードに属した複数の映像でもあり、第２−３表示モードに属した複数の映像でもあるので、複数のボタン１３０は、第２−１表示モード、第２−２表示モード、第２−３表示モードのうち、事前に代表モード（default  mode）に設定された表示モード、例えば第２−３表示モードに属した複数の映像をディスプレイすることが望ましい。
【００５６】
一方、分析された接触方向が「左側」または「右側（rightward）」である場合、複数のボタン１３０に現在ディスプレイされた複数の映像は、その現在ディスプレイされた複数の映像が属したカテゴリーを維持して更新される。図示されているところによれば、第３−２表示モードに属した複数の映像をディスプレイする複数のボタン１３０は、ユーザが複数のボタン１３０を左側に触れれば、第３−３表示モードに属した複数の映像をディスプレイする。同じ原理により、第２−３表示モードに属した複数の映像をディスプレイする複数のボタン１３０は、ユーザが複数のボタン１３０を右側に触れれば、第２−２表示モードに属した複数の映像をディスプレイする。
【００５７】
結局、図示されているところで、「上側」接触方向と「下側」接触方向とのそれぞれは、第１所定軌跡に該当し、「左側」接触方向と「右側」接触方向とのそれぞれは、第２所定軌跡に該当する。
【００５８】
図４Ｃは、本発明によるディスプレイ原理を説明するための第３実施形態の参考図である。
【００５９】
本発明の第３実施形態によれば、複数のボタン１３０がディスプレイする複数の映像が属したカテゴリーは、「分析された軌跡をなすその感知された位置」に相応して決定される。
【００６０】
本発明の第３実施形態によれば、制御部１２０は、ある２つの分析された軌跡（すなわち、接触方向）が同一であっても、それぞれの分析された軌跡をなすその感知された位置が異なれば、その２つの分析された軌跡に対して互いに異なる制御信号を生成できる。
【００６１】
具体的に、制御部１２０は、分析された軌跡が第１所定軌跡であるか、あるいは第２所定軌跡であるかを判断する。この場合、分析された軌跡が第１所定軌跡であると判断されれば、複数のボタン１３０は、分析された軌跡をなすその感知された位置に相応するカテゴリーに属した複数の映像をディスプレイする。一方、分析された軌跡が第２所定軌跡であると判断されれば、複数のボタン１３０は、現在ディスプレイされた複数の映像をその現在ディスプレイされた複数の映像が属したカテゴリーを維持しつつ更新する。
【００６２】
制御部１２０は、分析された軌跡が第１所定軌跡であると判断されれば、「分析された軌跡をなすその感知された位置」に相応する制御信号を生成し、分析された軌跡が第２所定軌跡であると判断されれば、「分析された軌跡」と「複数のボタン１３０に現在ディスプレイされた複数の映像」とに相応する制御信号を生成する。
【００６３】
例えば、分析された接触方向が「上側」または「下側」である場合、複数のボタン１３０に現在ディスプレイされた複数の映像は、分析された接触方向をなすその感知された位置に相応するカテゴリーに属した複数の映像に更新される。図示されているところによれば、第１−２表示モードに属した複数の映像をディスプレイする複数のボタン１３０は、ユーザが第２列に配された接触感知センサ３１８ないし３２４を上側に触れれば、第２表示モードに属した複数の映像をディスプレイする。このとき、第２表示モードに属した複数の映像は、第２−１表示モードに属した複数の映像でもあり、第２−２表示モードに属した複数の映像でもあり、第２−３表示モードに属した複数の映像でもあるので、複数のボタン１３０は、第２−１表示モード、第２−２表示モード、第２−３表示モードのうち、事前に代表モード（default  mode）に設定された表示モード、例えば第２−２表示モードに属した複数の映像をディスプレイすることが望ましい。同じ原理によって、第３−２表示モードに属した複数の映像をディスプレイする複数のボタン１３０は、ユーザが第１列に配された接触感知センサ３１０ないし３１６を下側に触れれば、第１表示モードに属した複数の映像をディスプレイする。このとき、第１表示モードに属した複数の映像は、第１−１表示モードに属した複数の映像でもあり、第１−２表示モードに属した複数の映像でもあり、第１−３表示モードに属した複数の映像でもあるので、複数のボタン１３０は、第１−１表示モード、第１−２表示モード、第１−３表示モードのうち、事前に代表モード（default  mode）に設定された表示モード、例えば第１−１表示モードに属した複数の映像をディスプレイすることが望ましい。
【００６４】
一方、分析された接触方向が「左側」または「右側」である場合、複数のボタン１３０に現在ディスプレイされた複数の映像は、その現在ディスプレイされた複数の映像が属したカテゴリーを維持して更新される。図示されているところによれば、第３−２表示モードに属した複数の映像をディスプレイする複数のボタン１３０は、ユーザが複数のボタン１３０を左側に触れれば、第３−３表示モードに属した複数の映像をディスプレイする。同じ原理によって、第２−３表示モードに属した複数の映像をディスプレイする複数のボタン１３０は、ユーザが複数のボタン１３０を右側に触れれば、第２−２表示モードに属した複数の映像をディスプレイする。
【００６５】
結局、図示されているところで、「上側」接触方向と「下側」接触方向とのそれぞれは、第１所定軌跡に該当し、「左側」接触方向と「右側」接触方向とのそれぞれは、第２所定軌跡に該当する。
【００６６】
図４Ｄは、本発明によるディスプレイ原理を説明するための第４実施形態の参考図である。
【００６７】
本発明の第４実施形態によれば、複数のボタン１３０がディスプレイする複数の映像が属したカテゴリーは、「分析された軌跡をなすその感知された位置」に相応して決定される。
【００６８】
本発明の第４実施形態によれば、制御部１２０は、ある２つの分析された軌跡（すなわち、接触方向）が同一であっても、それぞれの分析された軌跡をなすその感知された位置が異なれば、その２つの分析された軌跡に対して互いに異なる制御信号を生成する。
【００６９】
図示されているところによれば、複数のボタン１３０は、ユーザが第１列に配された接触感知センサ３１０ないし３１６を上側または下側に触れれば、第１表示モードに属した複数の映像をディスプレイする。このとき、第１表示モードに属した複数の映像は、第１−１表示モードに属した複数の映像でもあり、第１−２表示モードに属した複数の映像でもあり、第１−３表示モードに属した複数の映像でもあるので、複数のボタン１３０は、第１−１表示モード、第１−２表示モード、第１−３表示モードのうち、事前に代表モード（default  mode）に設定された表示モード、例えば第１−３表示モードに属した複数の映像をディスプレイすることが望ましい。
【００７０】
このように、第１−３表示モードに属した複数の映像をディスプレイする複数のボタン１３０は、ユーザが第１列に配された接触感知センサ３１０ないし３１６を上側（または下側）に触れれば、第１−１表示モード（または第１−２表示モード）に属した複数の映像をディスプレイする。
【００７１】
これとは異なり、第１−３表示モードに属した複数の映像をディスプレイする複数のボタン１３０は、ユーザが第２列に配された接触感知センサ３１８ないし３２４を上側または下側に触れれば、第２表示モードに属した複数の映像をディスプレイする。このとき、第２表示モードに属した複数の映像は、第２−１表示モードに属した複数の映像でもあり、第２−２表示モードに属した複数の映像でもあり、第２−３表示モードに属した複数の映像でもあるので、複数のボタン１３０は、第２−１表示モード、第２−２表示モード、第２−３表示モードのうち、事前に代表モード（default  mode）に設定された表示モード、例えば第２−１表示モードに属した複数の映像をディスプレイすることが望ましい。
【００７２】
同様に、第１−３表示モードに属した複数の映像をディスプレイする複数のボタン１３０は、ユーザが第３列に配された接触感知センサ３１８ないし３２４を上側または下側に触れれば、第３表示モードに属した複数の映像をディスプレイする。このとき、第３表示モードに属した複数の映像は、第３−１表示モードに属した複数の映像でもあり、第３−２表示モードに属した複数の映像でもあり、第３−３表示モードに属した複数の映像でもあるので、複数のボタン１３０は、第３−１表示モード、第３−２表示モード、第３−３表示モードのうち、事前に代表モード（default  mode）に設定された表示モード、例えば第３−２表示モードに属した複数の映像をディスプレイすることが望ましい。
【００７３】
図４Ｅは、本発明によるディスプレイ原理を説明するための第５実施形態の参考図である。
【００７４】
本発明の第５実施形態によれば、複数のボタン１３０がディスプレイしようとする複数の映像がボタンの個数より多い場合、複数のボタン１３０は、そのボタン個数の映像を可変的にディスプレイする。
【００７５】
図示されているところで、それぞれの長方形は、ボタンを介してディスプレイされる映像を意味する。１０８個の長方形のうち、点線で選択された１２個の長方形４１０，４２０，４３０，４４０は、１２個のボタン２０５ないし２６０を介してディスプレイされる１２個の映像の一例を意味する。
【００７６】
例えば、第１表示モードはハングル入力モードであり、第２表示モードはアルファベット入力モードであり、第３表示モードは特殊記号入力モードであり、第１表示モード、第２表示モード、第３表示モードそれぞれの下位表示モードは存在せず、分析された軌跡に相応する表示モードは第３表示モードであり、第３表示モードに属した複数の映像は、１０８個であると仮定すれば、複数のボタン１３０は、１０８個の映像をディスプレイしようとすることになる。
【００７７】
しかし、１２個のボタン２０５ないし２６０は、１２個の映像のみをディスプレイできる。この場合、ユーザが１つのボタンを所定時間押せば、そのディスプレイされる１２個の映像は、「そのボタンの１２個のボタン上での位置」と「所定時間」とに相応して更新される。
【００７８】
図示されているところで、識別番号４１０が指示する１２個の映像をディスプレイする１２個のボタン２０５ないし２６０は、ユーザが第１ボタン２０５を所定時間押せば、識別番号４２０の指示する１２個の映像をディスプレイする。同様に、識別番号４１０の指示する１２個の映像をディスプレイする１２個のボタン２０５ないし２６０は、ユーザが第１２ボタン２６０を所定時間押せば、識別番号４３０の指示する１２個の映像をディスプレイする。これと類似して、識別番号４１０の指示する１２個の映像をディスプレイする１２個のボタン２０５ないし２６０は、ユーザが第８ボタン２４０を所定時間押せば、識別番号４４０の指示する１２個の映像をディスプレイする。
【００７９】
図５Ａないし図５Ｇは、図２に図示されている携帯電話機を利用し、「５時にコーヒーどう＊＾＾＊」という文字メッセージを発信する過程を説明するための図である。
【００８０】
図示されているところについて、図４Ｂ及び図４Ｅに図示されている第２実施形態と第５実施形態とを利用して説明する。
【００８１】
この場合、図４Ｂに図示されているところで、第１表示モードはハングル入力モードであり、第１−１表示モードはハングル子音入力モードであり、第１−２表示モードはハングル母音入力モードであり、第２表示モードはアルファベット入力モードであり、第２−１表示モードはアルファベット小文字入力モードであり、第２−２表示モードはアルファベット大文字入力モードであり、第３表示モードはその他の文字入力モードであり、第３−１表示モードは記号入力モードであり、第３−２表示モードはエモティコン（emoticon）入力モードであり、第３−３表示モードは数字入力モードと仮定する。
【００８２】
もし複数のボタン１３０が第３−３表示モードの属したカテゴリーと異なるカテゴリーの映像、例えば第２−２表示モードに属した複数の映像をディスプレイしているならば（図５Ｄ参照）、ユーザは、複数のボタン１３０を下側に触れれば、複数のボタン１３０が第３表示モードに属した複数の映像をディスプレイせねばならない。このとき、第３−１表示モード、第３−２表示モード、第３−３表示モードの代表モードが第３−３表示モード以外の表示モード、例えば第３−１表示モードに設定されているならば、ユーザは、記号をディスプレイする複数のボタン１３０を右側に触れ、複数のボタン１３０が数字をディスプレイするようにしなければならない（図５Ｇ参照）。
【００８３】
同様に、もし複数のボタン１３０が第３−３表示モードに属した複数の映像でなく、第３−３表示モードが属したカテゴリーと同じカテゴリーの映像、例えば第３−２表示モードに属した複数の映像をディスプレイしているならば（図５Ｅ参照）、ユーザは、複数のボタン１３０を左側に触れ、複数のボタン１３０が数字をディスプレイするようにせねばならない（図５Ｇ参照）。
【００８４】
このように、複数のボタン１３０に数字がディスプレイされれば、ユーザは、第６ボタン２３０を操作して５を入力する。
【００８５】
この後、ユーザは、数字をディスプレイする複数のボタン１３０を下側に触れれば、複数のボタン１３０が第１表示モードに属した複数の映像をディスプレイするようにしなければならない。このとき、第１−１表示モード、第１−２表示モードの代表モードが第１−１表示モード以外の表示モード、例えば第１−２表示モードに設定されているならば、ユーザは、ハングル母音をディスプレイする複数のボタン１３０を右側に触れ、複数のボタン１３０がハングル子音をディスプレイするようにしなければならない（図５Ａ参照）。
【００８６】
このように、複数のボタン１３０にハングル子音がディスプレイされれば、ユーザは、第３ボタン２１５を操作して
（外１）
2009514119.tif 000003
を入力する。この後、ユーザはハングル子音をディスプレイする複数のボタン１３０を左側に触れ、複数のボタン１３０がハングル母音をディスプレイするようにしなければならない（図５Ｂ参照）。
【００８７】
このように、複数のボタン１３０にハングル母音がディスプレイされれば、ユーザは、第１ボタン２０５を操作して
（外２）
2009514119.tif 000004
を入力する。この後、ユーザは、ハングル母音をディスプレイする複数のボタン１３０を右側に触れ、複数のボタン１３０がハングル子音をディスプレイするようにしなければならない（図５Ａ参照）。
【００８８】
このように、複数のボタン１３０にハングル子音がディスプレイされれば、ユーザは第７ボタン２３５を操作して
（外３）
2009514119.tif 000005
を入力する。この後、ユーザは、ハングル子音をディスプレイする複数のボタン１３０を左側に触れ、複数のボタン１３０がハングル母音をディスプレイするようにしなければならない（図５Ｂ参照）。
【００８９】
このように、複数のボタン１３０にハングル母音がディスプレイされれば、ユーザは、
（外４）
2009514119.tif 000006
を入力することとなる。しかし、図５Ｂに
（外５）
2009514119.tif 000007
は図示されていない。従って、ユーザは、図５Ｂに図示されている第１ボタン２０５ないし第１２ボタン２６０のうちのいずれか１つのボタンをずっと押し、複数のボタン１３０がディスプレイする複数の映像に
（外６）
2009514119.tif 000008
が含まれるようにしなければならない。これにより、
（外７）
2009514119.tif 000009
がディスプレイされれば、ユーザは、
（外８）
2009514119.tif 000010
を入力する。
【００９０】
この後、ユーザは、ハングル母音をディスプレイする複数のボタン１３０を下側に触れ、複数のボタン１３０が第２表示モードに属した複数の映像をディスプレイするようにしなければならない。このとき、第２−１表示モード、第２−２表示モードの代表モードが第２−１表示モード以外の表示モード、例えば第２−１表示モードに設定されているならば、ユーザは、アルファベット小文字をディスプレイする複数のボタン１３０を左側に触れ、複数のボタン１３０がアルファベット大文字をディスプレイするようにしなければならない（図５Ｄ参照）。
【００９１】
このように、複数のボタン１３０にアルファベット大文字がディスプレイされれば、ユーザは第９ボタン２４５を操作してＣを入力する。この後、ユーザは、アルファベット大文字をディスプレイする複数のボタン１３０を右側に触れ、複数のボタン１３０がアルファベット小文字をディスプレイするようにしなければならない（図５Ｃ参照）。
【００９２】
このように、複数のボタン１３０にアルファベット小文字がディスプレイされれば、ユーザは
（外９）
2009514119.tif 000011
を入力することになる。しかし、図５Ｃに
（外１０）
2009514119.tif 000012
は図示されていない。従って、ユーザは、図５Ｃに図示されている第１ボタン２０５ないし第１２ボタン２６０のうちいずれか１つのボタンをずっと押し、複数のボタン１３０がディスプレイする複数の映像に
（外１１）
2009514119.tif 000013
が含まれるようにしなければならない。これにより、
（外１２）
2009514119.tif 000014
がディスプレイされれば、ユーザは、
（外１３）
2009514119.tif 000015
を入力する。
【００９３】
これと同じ原理によって、ユーザは、ｆｆｅｅも入力する。
【００９４】
この後、ユーザは、アルファベット小文字をディスプレイする複数のボタン１３０を上側に触れ、複数のボタン１３０が第１表示モードに属した複数の映像をディスプレイするようにしなければならない。このとき、第１−１表示モード、第１−２表示モードの代表モードが第１−１表示モード以外の表示モード、例えば第１−２表示モードに設定されているならば、ユーザは、ハングル母音をディスプレイする複数のボタン１３０を右側に触れ、複数のボタン１３０がハングル子音をディスプレイするようにしなければならない（図５Ａ参照）。
【００９５】
このように、複数のボタン１３０にハングル子音がディスプレイされれば、ユーザは、第７ボタン２３５を操作して
（外１４）
2009514119.tif 000016
を入力する。この後、ユーザは、ハングル子音をディスプレイする複数のボタン１３０を左側に触れ、複数のボタン１３０がハングル母音をディスプレイするようにしなければならない（図５Ｂ参照）。
【００９６】
このように、複数のボタン１３０にハングル母音がディスプレイされれば、ユーザは、第２ボタン２１０を操作して
（外１５）
2009514119.tif 000017
を入力する。この後、ユーザは、ハングル母音をディスプレイする複数のボタン１３０を右側に触れ、複数のボタン１３０がハングル子音をディスプレイするようにしなければならない（図５Ａ参照）。
【００９７】
このように、複数のボタン１３０にハングル子音がディスプレイされれば、ユーザは、
（外１６）
2009514119.tif 000018
を入力することになる。しかし、図５Ａに
（外１７）
2009514119.tif 000019
は図示されていない。従って、ユーザは、図５Ａに図示されている第１ボタン２０５ないし第１２ボタン２６０のうちいずれか１つのボタンをずっと押し、複数のボタン１３０がディスプレイする複数の映像に
（外１８）
2009514119.tif 000020
が含まれるようにしなければならない。これにより、
（外１９）
2009514119.tif 000021
がディスプレイされれば、ユーザは
（外２０）
2009514119.tif 000022
を入力する。
【００９８】
この後、ユーザは、ハングル子音をディスプレイする複数のボタン１３０を左側に触れ、複数のボタン１３０がハングル母音をディスプレイするようにしなければならない（図５Ｂ参照）。
【００９９】
このように、複数のボタン１３０にハングル母音がディスプレイされれば、ユーザは、第１０ボタン２５０を操作して
（外２１）
2009514119.tif 000023
を入力する。
【０１００】
この後、ユーザは、ハングル母音をディスプレイする複数のボタン１３０を上側に触れ、複数のボタン１３０が第３表示モードに属した複数の映像をディスプレイするようにしなければならない。このとき、第３−１表示モード、第３−２表示モード、第３−３表示モードの代表モードが第３−１表示モードに設定されているならば、複数のボタン１３０は、記号をディスプレイする（図５Ｅ参照）。
【０１０１】
このように、複数のボタン１３０に記号がディスプレイされれば、ユーザは、第６ボタン２３０を操作し、「？」を入力することができる。この後、ユーザは、記号をディスプレイする複数のボタン１３０を左側に触れ、複数のボタン１３０がエモティコンをディスプレイするようにしなければならない（図５Ｆ参照）。
【０１０２】
このように、複数のボタン１３０にエモティコンがディスプレイされれば、ユーザは、第１ボタン２０５を操作して＊＾＾＊を入力することができる。
【０１０３】
以上で言及された原理のような原理によって、図５Ａないし図５Ｇに図示されているところは、図４Ａ及び図４Ｅに図示された第１実施形態と第５実施形態とを利用して説明されもし、図４Ｃ及び図４Ｅに図示された第３実施形態と第５実施形態とを利用して説明されもし、図４Ｄ及び図４Ｅに図示された第４実施形態と第５実施形態とを利用して説明されもする。
【０１０４】
ただし、図５Ａないし図５Ｇに図示されているところについて、図４Ａ及び図４Ｅに図示された第１実施形態と第５実施形態とを利用して説明するためには、ハングル入力モードという第１表示モード内に下位表示モードが存在せず、アルファベット入力モードという第２表示モード内に下位表示モードが存在せず、その他の文字入力モードという第３表示モード内に下位表示モードが存在しないようになっていなければならない。この場合、複数のボタン１３０に図５Ａに図示されているところがディスプレイされれば、ユーザは、いずれか１つのボタンをずっと押し、複数のボタン１３０が図５Ｂに図示されているところをディスプレイさせることができる。同様に、複数のボタン１３０に図５Ｃに図示されているところがディスプレイされれば、ユーザは、いずれか１つのボタンをずっと押し、複数のボタン１３０が図５Ｄに図示されているところをディスプレイさせることができる。これと同様に、複数のボタン１３０に図５Ｅに図示されているところがディスプレイされれば、ユーザは、いずれか１つのボタンをずっと押し、複数のボタン１３０が図５Ｆに図示されているところをディスプレイさせることもでき、図５Ｇに図示されているところをディスプレイさせることもできる。
【０１０５】
図６は、図２に図示されている携帯電話機を利用してブラウジング（browsing）する過程を説明するための図である。図６に図示されているところについて、図１及び図４Ｅを参照しつつ説明する。
【０１０６】
保存部１１０は、端末機に入力可能な情報を示す映像データ、例えば文字を示す映像データは表示モード別に保存することができるが、端末機に入力不可能な情報を示す映像データ、例えば写真のような静止映像や撮影された動映像を示す映像データは、表示モード別に保存しない。
【０１０７】
図６に図示されているところで、携帯電話機には、１０８個の写真イメージが保存されていると仮定する。１２個のボタン２０５ないし２６０は、最大１２個の写真イメージをディスプレイできるのみであり、ユーザが１２個のボタン２０５ないし２６０を介して１０８個の写真イメージをいずれもブラウジングできるためには、１２個のボタン２０５ないし２６０は、１２個の映像を可変的にディスプレイせねばならない。
【０１０８】
このために、ユーザは、１つのボタンを所定時間ずっと押すか、または複数のボタンを一方向に触れなければならない。
【０１０９】
例えば、識別番号４１０が指示する１２個の写真イメージをディスプレイする１２個のボタン２０５ないし２６０は、ユーザが第１ボタン２０５を所定時間押すか、または第６ボタン２３０から第１ボタン２０５側にボタンに触れるならば、識別番号４２０が指示する１２個の写真イメージをディスプレイする。同様に、識別番号４１０が指示する１２個の映像をディスプレイする１２個のボタン２０５ないし２６０は、ユーザが第１２ボタン２６０を所定時間押すか、または第７ボタン２３５から第１２ボタン２６０側にボタンに触れれば、識別番号４３０が指示する１２個の映像をディスプレイする。これと同様に、識別番号４１０が指示する１２個の映像をディスプレイする１２個のボタン２０５ないし２６０は、ユーザが第８ボタン２４０を所定時間押すか、または第６ボタン２３０から第８ボタン２４０側にボタンに触れるならば、識別番号４４０が指示する１２個の映像をディスプレイする。
【０１１０】
図７は、図２に図示されている携帯電話機の複数のボタン上にディスプレイされた複数の映像のうち選択された映像が拡大されてディスプレイされた例を示した図である。
【０１１１】
ユーザが図７Ａに図示されていところで、ある写真イメージ、例えば第１ボタン２０５にディスプレイされた写真イメージを選択すれば、選択された写真イメージは、ディスプレイ・ウインド２７０にディスプレイされもし、図７Ｂに図示されているように、複数のボタン２０５ないし２６０に拡大されてディスプレイされることもある。
【０１１２】
図８は、本発明によるディスプレイ方法を説明するためのフローチャートであり、端末機に所定時間接触がなされた場合、その接触がいかなる経路によってなされたかによって決定される複数の映像をその端末機に備わった複数のボタンにディスプレイする段階（第８１０〜８３０段階）からなりうる。
【０１１３】
感知部１１０は、端末機への接触を感知する（第８１０段階）。もし第８１０段階が所定時間連続的に遂行されれば、制御部１２０は、その所定時間の間の感知された結果に相応する映像データを保存部１４０から読み出す（第８２０段階）。
【０１１４】
第８２０段階後に、複数のボタン１３０は、第８２０段階で読み出された映像データが示す複数の映像をディスプレイする（第８３０段階）。
【０１１５】
前記実施形態以外にも、本発明の実施形態はミディアム（medium）／メディア（media）（例えば、コンピュータで読み取り可能なミディアム／メディア）上でのコンピュータで読み取り可能なコード／命令（instruction）を実行することによって具現されうる。そのミディアム／メディアは、コンピュータで読み取り可能なコード／命令の保存及び／または伝送を許容するいかなるミディアム／メディアにも対応されうる。そのミディアム／メディアは、コンピュータで読み取り可能なコード／命令、データファイル、データ構造のうち、少なくとも一つを含むことができる。コード／命令の一例は、コンパイラ（compiler）により生成されうる機械コード（machine  code）と、コンピュータデバイス（computing  device）により実行されうる上位レベルコード（high  level
code）とを有するファイルでありうる。
【０１１６】
そのコンピュータで読み取り可能なコード／命令は、ミディアム／メディア上で多様な方式で記録されたり伝送されうる。ここで、ミディアム／メディアの一例は、マグネチック保存メディア（例えば、フロッピー（登録商標）ディスク、ハードディスク、マグネチックテープなど）、光学（optical）メディア（例えば、ＣＤ−ＲＯＭｓ、ＤＶＤｓ）、磁気光学メディア（magneto-optical media）（例えば、フロプティカル（floptical）ディスク）、ハードウェアストレージ（hardware  storage）デバイス（例えば、読み取り専用メモリメディア（read  only  memory  media）、ランダムアクセスメモリメディア（random  access  memory  media）、フラッシュメモリなど）、及び信号（このとき、信号は、コンピュータで読み取り可能なコード／命令、データファイル、データ構造を含む）を伝達するキャリアウェーブ（carrier  wave）のような保存／伝送（storage/transmission）メディアを含むことができる。保存／伝送メディアの一例は、有線及び／または無線伝送メディアを含むことができる。例えば、保存／伝送メディアは、光学（optical）線（wires/lines）、ウェーブガイド（wave  guides）、金属線、命令とデータ構造とデータファイルとを規定するキャリアウェーブ伝送信号を含むことができる。また、そのミディアム／メディアは、分散ネットワーク（distributed  network）であって、そのコンピュータで読み取り可能なコード／命令は、分散形態で（in  a  distributed  fashion）保存されたり伝送されうる。また、そのミディアム／メディアは、インターネットでありうる。そのコンピュータで読み取り可能なコード／命令は、一つ以上のプロセッサにより実行されうる。また、そのコンピュータで読み取り可能なコード／命令は、ＡＳＩＣ（Application  Specific  Integrated  Circuit）やＦＰＧＡ（Field  Programmable  Gate  Array）で実行されたり具現されうる。
【０１１７】
その上、ハードウェアデバイスは、前記実施形態の動作を実行するために、一つ以上のソフトウェアモジュール（module）として動作するように具現されうる。
【０１１８】
ここで使われた「モジュール」という用語は、限定的な用語ではなくして、ソフトウェア構成要素でもあり、ハードウェア構成要素でもあり、ある作業（task）を遂行する。モジュールは、アドレサブル（addressable）保存ミディアム／メディア上に設けられることもあり、一つ以上のプロセッサ上で遂行されることもある。従って、モジュールは、例えば、ソフトウェアコンポーネント（component）、客体指向的（object-oriented）ソフトウェアコンポーネント、クラス（class）コンポーネント、作業（task）コンポーネント、プロセス（processes）、関数（functions）、属性（attributes）、手順（procedures）、サブルーチン（subroutines）、プログラムコードのセグメント、ファームウェア（firmware）、マイクロコード、回路、データ、データベース、データ構造、テーブル、アレイ、変数のような構成要素を含むことができる。かかる構成要素並びにモジュールのために提供される関数性（functionality）は、他のコンポーネントやモジュールと結合されもし、さまざまなコンポーネントやモジュールに分離されうる。その上、その構成要素とそのモジュールは、デバイス内の少なくとも１つのプロセッサ（例えば、中央処理ユニット（ＣＰＵ））上で動作できる。
【０１１９】
コンピュータで読み取り可能なコード／命令とコンピュータで読み取り可能なミディアム／メディアは、本発明の目的のために特別にデザインされて具現されることもあり、本発明の属する業界で当業者によって活用可能なように具現されもする。
【０１２０】
以上のように本発明は、たとえ限定された実施形態と図面とによって説明されたとしても、本発明は、前記の実施形態に限定されるものではなく、本発明の属する分野で当業者ならば、かような記載から多様な修正及び変形が可能である。従って、本発明の範囲は、説明された実施形態に限定されて決まるものではなく、特許請求の範囲やそれと均等なところによってのみ決まるものである。
【図面の簡単な説明】
【０１２１】
【図１】本発明によるディスプレイ機能を有する端末機を説明するためのブロック図である。
【図２】本発明によるディスプレイ機能を有するボタンを具備したホルダ型携帯電話機を広げた様子の一例を示した図である。
【図３Ａ】図１に図示されている感知部１１０の具現例を示した図である。
【図３Ｂ】図１に図示されている感知部１１０の具現例を示した図である。
【図３Ｃ】図１に図示されている感知部１１０の具現例を示した図である。
【図３Ｄ】図１に図示されている感知部１１０の具現例を示した図である。
【図４Ａ】本発明によるディスプレイ原理を説明するための第１実施形態の参考図である。
【図４Ｂ】本発明によるディスプレイ原理を説明するための第２実施形態の参考図である。
【図４Ｃ】本発明によるディスプレイ原理を説明するための第３実施形態の参考図である。
【図４Ｄ】本発明によるディスプレイ原理を説明するための第４実施形態の参考図である。
【図４Ｅ】本発明によるディスプレイ原理を説明するための第５実施形態の参考図である。
【図５Ａ】図２に図示されている携帯電話機を利用して文字メッセージを発信する過程を説明するための図である。
【図５Ｂ】図２に図示されている携帯電話機を利用して文字メッセージを発信する過程を説明するための図である。
【図５Ｃ】図２に図示されている携帯電話機を利用して文字メッセージを発信する過程を説明するための図である。
【図５Ｄ】図２に図示されている携帯電話機を利用して文字メッセージを発信する過程を説明するための図である。
【図５Ｅ】図２に図示されている携帯電話機を利用して文字メッセージを発信する過程を説明するための図である。
【図５Ｆ】図２に図示されている携帯電話機を利用して文字メッセージを発信する過程を説明するための図である。
【図５Ｇ】図２に図示されている携帯電話機を利用して文字メッセージを発信する過程を説明するための図である。
【図６】図２に図示されている携帯電話機を利用してブラウジングする過程を説明するための図である。
【図７Ａ】図２に図示されている携帯電話機の複数のボタン上にディスプレイされた複数の映像のうち、選択された映像が拡大されてディスプレイされた例を示した図である。
【図７Ｂ】図２に図示されている携帯電話機の複数のボタン上にディスプレイされた複数の映像のうち、選択された映像が拡大されてディスプレイされた例を示した図である。
【図８】本発明によるディスプレイ方法を説明するためのフローチャートである。
【図１】
2009514119.tif 000024
【図２】
2009514119.tif 000025
【図３Ａ】
2009514119.tif 000026
【図３Ｂ】
2009514119.tif 000027
【図３Ｃ】
2009514119.tif 000028
【図３Ｄ】
2009514119.tif 000029
【図４Ａ】
2009514119.tif 000030
【図４Ｂ】
2009514119.tif 000031
【図４Ｃ】
2009514119.tif 000032
【図４Ｄ】
2009514119.tif 000033
【図４Ｅ】
2009514119.tif 000034
【図５Ａ】
2009514119.tif 000035
【図５Ｂ】
2009514119.tif 000036
【図５Ｃ】
2009514119.tif 000037
【図５Ｄ】
2009514119.tif 000038
【図５Ｅ】
2009514119.tif 000039
【図５Ｆ】
2009514119.tif 000040
【図５Ｇ】
2009514119.tif 000041
【図６】
2009514119.tif 000042
【図７Ａ】
2009514119.tif 000043
【図７Ｂ】
2009514119.tif 000044
【図８】
2009514119.tif 000045
【国際調査報告】
2009514119.tif 000046
2009514119.tif 000047
2009514119.tif 000048